(57)【要約】【課題】ネットワークに対して「Ｂｅａｒｅｒ  Ｓｈａｒｉｎｇ」機能を具備しているか否かについて通知することによって、「Ｉｎｔｅｒ-ｓｉｔｅ  ＣＡ」を実現する。【解決手段】本発明に係る移動局ＵＥは、無線基地局ｅＮＢ＃１に対して、複数の無線基地局ｅＮＢ＃１/＃２配下のセル＃１/＃２を介して「Ｉｎｔｅｒ-ｓｉｔｅ  ＣＡ」を行うことができるか否かについて示す「Ｂｅａｒｅｒ  Ｓｈａｒｉｎｇ  Ｃａｐａｂｉｌｉｔｙ」を送信するように構成されている送信部１３を具備する。【選択図】図４
2014049956.tif 000002
【特許請求の範囲】
【請求項１】
無線基地局に対して、複数の無線基地局配下のセルを介してキャリアアグリゲーションを行うことができるか否かについて示す能力情報を送信するように構成されている送信部を具備することを特徴とする移動局。
【請求項２】
前記送信部は、前記能力情報として、前記キャリアアグリゲーションを行うことができる無線基地局の数を通知するように構成されていることを特徴とする請求項１に記載の移動局。
【請求項３】
前記送信部は、前記能力情報について、上りリンク及び下りリンクのそれぞれで通知するように構成されていることを特徴とする請求項１又は２に記載の移動局。
【請求項４】
前記送信部は、前記能力情報について、前記移動局が対応している周波数毎に通知するように構成されていることを特徴とする請求項１乃至３のいずれか一項に記載の移動局。
【請求項５】
前記送信部は、前記能力情報について、前記移動局が対応しているキャリアコンビネーション毎に通知するように構成されていることを特徴とする請求項１乃至３のいずれか一項に記載の移動局。
【請求項６】
前記送信部は、前記能力情報について、前記移動局の無線機能部毎に通知するように構成されていることを特徴とする請求項１乃至３のいずれか一項に記載の移動局。
【請求項７】
前記送信部は、前記能力情報について、前記移動局が通信する無線基地局の種別毎に通知するように構成されていることを特徴とする請求項１乃至３のいずれか一項に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、図５（ａ）に示すように、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｓｉｔｅ  ＣＡ」の導入が検討されている（図５（ｂ）参照）。
【先行技術文献】
【非特許文献】
【０００４】
【非特許文献１】３ＧＰＰ  ３６.３００
【発明の概要】
【発明が解決しようとする課題】
【０００５】
従来のＬＴＥ方式では、図６に示すように、１つのＥＰＳ（Ｅｖｏｌｖｅｄ  Ｐａｃｋｅｔ  Ｓｙｓｔｅｍ）ベアラと１つの無線ベアラとを関連付けるように構成されている。
【０００６】
具体的には、図６に示すように、ＥＰＳベアラは、１つの無線ベアラと１つのＳ１ベアラと１つのＳ５/Ｓ８ベアラとによって構成されている。
【０００７】
ここで、無線ベアラは、移動局ＵＥと無線基地局ｅＮＢとの間で設定されており、Ｓ１ベアラは、無線基地局ｅＮＢとゲートウェイ装置Ｓ-ＧＷとの間で設定されており、Ｓ５/Ｓ８ベアラは、ゲートウェイ装置Ｓ-ＧＷとゲートウェイ装置Ｐ-ＧＷとの間で設定されている。
【０００８】
すなわち、ＥＰＳベアラは、移動局ＵＥとゲートウェイ装置Ｐ-ＧＷとの間で設定されているベアラである。
【０００９】
ここで、「Ｉｎｔｅｒ-ｓｉｔｅ  ＣＡ」を実現するためには、１つのＥＰＳベアラと複数の無線ベアラとを関連付ける「Ｂｅａｒｅｒ  Ｓｈａｒｉｎｇ」機能が必要になってくるものと想定される。
【００１０】
上述のように、既存の移動局ＵＥでは、かかる「Ｂｅａｒｅｒ  Ｓｈａｒｉｎｇ」機能を具備していないため、「Ｉｎｔｅｒ-ｓｉｔｅ  ＣＡ」を実現するためには、移動局ＵＥに対して、かかる「Ｂｅａｒｅｒ  Ｓｈａｒｉｎｇ」機能を具備させる必要があった。
【００１１】
しかしながら、既存のＬＴＥ方式では、ネットワーク（無線基地局ｅＮＢ）側では、かかる「Ｂｅａｒｅｒ  Ｓｈａｒｉｎｇ」機能を具備している移動局ＵＥを特定することができないという問題点があった。
【００１２】
そこで、本発明は、上述の課題に鑑みてなされたものであり、ネットワークに対して「Ｂｅａｒｅｒ  Ｓｈａｒｉｎｇ」機能を具備しているか否かについて通知することによって、「Ｉｎｔｅｒ-ｓｉｔｅ  ＣＡ」を実現することができる移動局を提供することを目的とする。
【課題を解決するための手段】
【００１３】
本発明の第１の特徴は、移動局であって、無線基地局に対して、複数の無線基地局配下のセルを介してキャリアアグリゲーションを行うことができるか否かについて示す能力情報を送信するように構成されている送信部を具備することを要旨とする。
【発明の効果】
【００１４】
以上説明したように、本発明によれば、ネットワークに対して「Ｂｅａｒｅｒ  Ｓｈａｒｉｎｇ」機能を具備しているか否かについて通知することによって、「Ｉｎｔｅｒ-ｓｉｔｅ  ＣＡ」を実現することができる移動局を提供することができる。
【図面の簡単な説明】
【００１５】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【図５】従来技術を説明するための図である。
【図６】従来技術を説明するための図である。
【発明を実施するための形態】
【００１６】
（本発明の第１の実施形態に係る移動通信システム）
図１乃至図４を参照して、本発明の第１の実施形態に係る移動通信システムについて説明する。
【００１７】
本実施形態に係る移動通信システムは、ＬＴＥ方式の移動通信システムであって、「Ｉｎｔｅｒ-ｓｉｔｅ  ＣＡ」を適用することができるように構成されている。
【００１８】
図１に示すように、本実施形態に係る移動通信システムは、ゲートウェイ装置Ｐ-ＧＷと、ゲートウェイ装置Ｓ-ＧＷと、無線基地局ｅＮＢ＃１〜＃３とを具備している。
【００１９】
例えば、無線基地局ｅＮＢ＃１配下のセル＃１は、マクロセルであり、無線基地局ｅＮＢ＃２〜＃３配下のセル＃２〜＃３は、ファントムセル（スモールセル）である。
【００２０】
また、無線基地局ｅＮＢ＃１〜＃３配下のセル＃１〜＃３のカバレッジエリアは、少なくとも一部で重なるように配置されているものとする。
【００２１】
本実施形態に係る移動通信システムでは、１つのＥＰＳベアラと複数の無線ベアラとを関連付ける「Ｂｅａｒｅｒ  Ｓｈａｒｉｎｇ」を適用することができるように構成されている。
【００２２】
ここで、図１の例では、無線基地局ｅＮＢ＃１〜＃３のうち、無線基地局ｅＮＢ＃１が、アンカー無線基地局ｅＮＢであり、移動局ＵＥについて、１つのＥＰＳベアラと、複数の無線ベアラ＃１〜＃３とを関連付けるように構成されている。
【００２３】
なお、アンカー無線基地局ｅＮＢは、マクロセルを管理する無線基地局ｅＮＢ＃１であってもよいし、その他の無線基地局ｅＮＢであってもよい。また、本実施形態に係る移動通信システムにおいて、或いは、本実施形態に係る移動通信システム内の所定エリアにおいて、各移動局ＵＥに対して、アンカー無線基地局ｅＮＢは、１つだけ存在してもよいし、複数存在してもよい。
【００２４】
図２に示すように、本実施形態に係る移動局ＵＥは、受信部１１と、管理部１２と、送信部１３とを具備している。
【００２５】
受信部１１は、無線基地局ｅＮＢ＃１〜＃３から各種信号を受信するように構成されており、送信部１３は、無線基地局ｅＮＢ＃１〜＃３に対して各種信号を送信するように構成されている。
【００２６】
また、管理部１２は、移動局ＵＥが「Ｂｅａｒｅｒ  Ｓｈａｒｉｎｇ」機能を具備しているか否かについて、すなわち、移動局ＵＥが「Ｉｎｔｅｒ-ｓｉｔｅ  ＣＡ」を実現することができるか否かについて管理するように構成されている。
【００２７】
例えば、受信部１１は、アンカー無線基地局ｅＮＢとして機能している無線基地局ｅＮＢ＃１から、「ＵＥ  Ｃａｐａｂｉｌｉｔｙ  Ｅｎｑｕｉｒｙ」を受信するように構成されている。
【００２８】
また、送信部１３は、かかる「ＵＥ  Ｃａｐａｂｉｌｉｔｙ  Ｅｎｑｕｉｒｙ」に応じて、無線基地局ｅＮＢ＃１に対して、移動局ＵＥが「Ｉｎｔｅｒ-ｓｉｔｅ  ＣＡ」を行うことができるか否かについて示す、すなわち、移動局ＵＥが「Ｂｅａｒｅｒ  Ｓｈａｒｉｎｇ」機能を具備するか否かについて示す「Ｂｅａｒｅｒ  Ｓｈａｒｉｎｇ  Ｃａｐａｂｉｌｉｔｙ」を送信するように構成されている。
【００２９】
なお、送信部１３は、「Ｂｅａｒｅｒ  Ｓｈａｒｉｎｇ  Ｃａｐａｂｉｌｉｔｙ」について、「ＣＡ  Ｃａｐａｂｉｌｉｔｙ」と共に通知するように構成されていてもよい。
【００３０】
具体的には、送信部１３は、「Ｂｅａｒｅｒ  Ｓｈａｒｉｎｇ  Ｃａｐａｂｉｌｉｔｙ」について、「ＣＡ  Ｃａｐａｂｉｌｉｔｙ」と同じ「Ｉｎｆｏｒｍａｔｉｏｎ  ｅｌｅｍｅｎｔ」で通知するように構成されていてもよい。
【００３１】
また、送信部１３は、「Ｂｅａｒｅｒ  Ｓｈａｒｉｎｇ  Ｃａｐａｂｉｌｉｔｙ」として、移動局ＵＥが「Ｉｎｔｅｒ-ｓｉｔｅ  ＣＡ」を行うことができる無線基地局ｅＮＢの数（又は、セルの数）、すなわち、同時に「Ｂｅａｒｅｒ  Ｓｈａｒｉｎｇ」を行うことができる無線基地局ｅＮＢの数（又は、セルの数）を通知するように構成されていてもよい。
【００３２】
また、送信部１３は、「Ｂｅａｒｅｒ  Ｓｈａｒｉｎｇ  Ｃａｐａｂｉｌｉｔｙ」について、上りリンク及び下りリンクのそれぞれで通知するように構成されていてもよい。
【００３３】
また、送信部１３は、「Ｂｅａｒｅｒ  Ｓｈａｒｉｎｇ  Ｃａｐａｂｉｌｉｔｙ」について、移動局ＵＥが対応している周波数毎に通知するように構成されていてもよい。
【００３４】
また、送信部１３は、「Ｂｅａｒｅｒ  Ｓｈａｒｉｎｇ  Ｃａｐａｂｉｌｉｔｙ」について、移動局ＵＥが対応している「ＣＡ  ｂａｎｄ  ｃｏｍｂｉｎａｔｉｏｎ」毎に通知するように構成されていてもよい。
【００３５】
また、送信部１３は、「Ｂｅａｒｅｒ  Ｓｈａｒｉｎｇ  Ｃａｐａｂｉｌｉｔｙ」について、移動局ＵＥのＲＦのような機能部毎に通知するように構成されていてもよい。
【００３６】
また、かかる「Ｂｅａｒｅｒ  Ｓｈａｒｉｎｇ」においては、複数のＰＤＣＰ（Ｐａｃｋｅｔ  Ｄａｔａ  Ｃｏｎｖｅｒｇｅｎｃｅ  Ｐｒｏｔｏｃｏｌ）エンティティを「Ｍａｓｔｅｒ  ＰＤＣＰ」と「Ｓｌａｖｅ  ＰＤＣＰ」とに大別することが考えられる。
【００３７】
かかる場合、「Ｍａｓｔｅｒ  ＰＤＣＰ」は、「Ｓｌａｖｅ  ＰＤＣＰ」の機能の一部を担うことが考えられるが、どの機能を「Ｍａｓｔｅｒ  ＰＤＣＰ」で担うかについても通知されてもよい。
【００３８】
さらに、「Ｉｎｔｅｒ-ｓｉｔｅ  ＣＡ」においては、移動局ＵＥは、複数の無線基地局ｅＮＢと通信を行うが、無線基地局ｅＮＢについて、マクロ無線基地局ｅＮＢやスモール無線基地局ｅＮＢのように分別される場合には、送信部１３は、「Ｂｅａｒｅｒ  Ｓｈａｒｉｎｇ  Ｃａｐａｂｉｌｉｔｙ」について、無線基地局ｅＮＢの種別毎に通知するように構成されていてもよい。
【００３９】
また、「Ｂｅａｒｅｒ  Ｓｈａｒｉｎｇ」におけるアンカー無線基地局ｅＮＢが複数ある場合、送信部１３は、「Ｂｅａｒｅｒ  Ｓｈａｒｉｎｇ  Ｃａｐａｂｉｌｉｔｙ」として、設定可能なアンカー無線基地局ｅＮＢの数を通知するように構成されていてもよい。
【００４０】
さらに、「Ｂｅａｒｅｒ  Ｓｈａｒｉｎｇ  Ｃａｐａｂｉｌｉｔｙ」は、移動局ＵＥの「ＵＥ  ｃａｔｅｇｏｒｙ」に関連付けられていてもよい。
【００４１】
図３に示すように、無線基地局ｅＮＢ＃１は、送信部２１と、受信部２２と、管理部２３と、制御部２４とを具備している。
【００４２】
送信部２１は、移動局ＵＥに対して各種信号を送信するように構成されており、受信部２２は、移動局ＵＥから各種信号を受信するように構成されている。
【００４３】
例えば、送信部２１は、移動局ＵＥに対して、「ＵＥ  Ｃａｐａｂｉｌｉｔｙ  Ｅｎｑｕｉｒｙ」を送信するように構成されている。
【００４４】
また、受信部２２は、移動局ＵＥから、上述の「Ｂｅａｒｅｒ  Ｓｈａｒｉｎｇ  Ｃａｐａｂｉｌｉｔｙ」や「ＣＡ  Ｃａｐａｂｉｌｉｔｙ」等を受信するように構成されている。
【００４５】
管理部２３は、受信部２２によって受信された「Ｂｅａｒｅｒ  Ｓｈａｒｉｎｇ  Ｃａｐａｂｉｌｉｔｙ」に基づいて、移動局ＵＥが「Ｂｅａｒｅｒ  Ｓｈａｒｉｎｇ」機能を具備しているか否かについて、すなわち、移動局ＵＥが「Ｉｎｔｅｒ-ｓｉｔｅ  ＣＡ」を実現することができるか否かについて管理するように構成されている。
【００４６】
制御部２４は、移動局ＵＥにおける各種制御を行うように構成されている。
【００４７】
例えば、制御部２４は、「Ｂｅａｒｅｒ  Ｓｈａｒｉｎｇ」機能を具備している移動局ＵＥ、すなわち、「Ｉｎｔｅｒ-ｓｉｔｅ  ＣＡ」を実現することができる移動局ＵＥに対して、「Ｉｎｔｅｒ-ｓｉｔｅ  ＣＡ」を行うことを決定するように構成されている。
【００４８】
ここで、制御部２４が、特定の移動局ＵＥに対して制御部２４によって「Ｉｎｔｅｒ-ｓｉｔｅ  ＣＡ」を行うと決定した場合、送信部２１は、アンカー無線基地局ｅＮＢ以外の無線基地局ｅＮＢであるスモール無線基地局ｅＮＢ（例えば、無線基地局ｅＮＢ＃２）に対して、「Ｂｅａｒｅｒ  ｓｈａｒｉｎｇ  ｒｅｑｕｅｓｔ」を送信すると共に、かかる特定の移動局ＵＥに対して、「Ｂｅａｒｅｒ  ｓｈａｒｉｎｇ」を行うための情報を含む「ＲＲＣ  ｃｏｎｎｅｃｔｉｏｎ  ｒｅｃｏｎｆｉｇｕｒａｔｉｏｎ」を送信するように構成されている。
【００４９】
なお、送信部２１は、個別シグナリングによって、移動局ＵＥに対して、かかる情報を通知するように構成されていてもよい。
【００５０】
ここで、送信部２１は、個別シグナリングとして、ＲＲＣ（Ｒａｄｉｏ  Ｒｅｓｏｕｒｃｅ  Ｃｏｎｔｒｏｌ）メッセージによって、例えば、「ＲＲＣ  ｃｏｎｎｅｃｔｉｏｎ  ｒｅｃｏｎｆｉｇｕｒａｔｉｏｎ」等によって、移動局ＵＥに対して、かかる情報を通知するように構成されていてもよい。
【００５１】
そして、移動局ＵＥは、かかる情報を用いて、「Ｂｅａｒｅｒ  ｓｈａｒｉｎｇ」を行うように構成されている。
【００５２】
この結果、図１の例では、上りリンクにおいて、無線ベアラ＃１のデータは、無線基地局ｅＮＢ＃１配下のセル＃１を介して、移動局ＵＥから無線基地局ｅＮＢ＃１に送信されるように構成されている。
【００５３】
また、図１の例では、上りリンクにおいて、無線ベアラ＃２のデータは、無線基地局ｅＮＢ＃２配下のセル＃２を介して、移動局ＵＥから無線基地局ｅＮＢ＃１に送信されるように構成されている。
【００５４】
さらに、図１の例では、上りリンクにおいて、無線ベアラ＃３のデータは、無線基地局ｅＮＢ＃３配下のセル＃３を介して、移動局ＵＥから無線基地局ｅＮＢ＃１に送信されるように構成されている。
【００５５】
同様に、図１の例では、下りリンクにおいて、無線ベアラ＃１のデータは、無線基地局ｅＮＢ＃１配下のセル＃１を介して、無線基地局ｅＮＢ＃１から移動局ＵＥに送信されるように構成されている。
【００５６】
また、図１の例では、下りリンクにおいて、無線ベアラ＃２のデータは、無線基地局ｅＮＢ＃２配下のセル＃２を介して、無線基地局ｅＮＢ＃２から移動局ＵＥに送信されるように構成されている。
【００５７】
さらに、図１の例では、下りリンクにおいて、無線ベアラ＃３のデータは、無線基地局ｅＮＢ＃３配下のセル＃３を介して、無線基地局ｅＮＢ＃３から移動局ＵＥに送信されるように構成されている。
【００５８】
ここで、無線ベアラ＃２は、移動局ＵＥと無線基地局ｅＮＢ＃２との間で終端するように構成されていてもよいし、無線基地局ｅＮＢ＃２を介して移動局ＵＥと無線基地局ｅＮＢ＃１との間で終端するように構成されていてもよい。
【００５９】
同様に、無線ベアラ＃３は、移動局ＵＥと無線基地局ｅＮＢ＃３との間で終端するように構成されていてもよいし、無線基地局ｅＮＢ＃３を介して移動局ＵＥと無線基地局ｅＮＢ＃１との間で終端するように構成されていてもよい。
【００６０】
なお、アンカー無線基地局ｅＮＢとして機能している無線基地局ｅＮＢ＃１の送信部２１は、下りリンクにおいて、Ｓ１ベアラを介して受信した移動局ＵＥ宛てのデータを、セル＃１〜＃３用のデータに分割して、無線ベアラ＃１〜＃３を介して、移動局ＵＥに送信するように構成されている。
【００６１】
また、アンカー無線基地局ｅＮＢとして機能している無線基地局ｅＮＢ＃１の受信部２２は、上りリンクにおいて、無線ベアラ＃１〜＃３を介して受信したセル＃１〜＃３用のデータに対して順序補正（ｒｅｏｒｄｅｒｉｎｇ）処理を施して、送信部２１が、かかるデータをＳ１ベアラに送信するように構成されている。
【００６２】
一方、移動局ＵＥの受信部１１は、下りリンクにおいて、無線ベアラ＃１〜＃３を介して受信したセル＃１〜＃３用のデータに対して順序補正処理を施すように構成されている。
【００６３】
また、移動局ＵＥの送信部１３は、上りリンクにおいて、送信すべきデータを、セル＃１〜＃３用のデータに分割して、無線ベアラ＃１〜＃３を介して、無線基地局ｅＮＢ＃１〜＃３に送信するように構成されている。
【００６４】
以下、図４を参照して、本実施形態に係る移動通信システムの動作について説明する。具体的には、図４を参照して、本実施形態に係る移動通信システムにおいて、「Ｂｅａｒｅｒ  Ｓｈａｒｉｎｇ」を開始する際の動作について説明する。
【００６５】
図４に示すように、ステップＳ１００１において、マクロセルであるセル＃１を管理している無線基地局ｅＮＢ＃１は、セル＃１において「ＲＲＣ_Ｃｏｎｎｎｅｃｔｅｄ状態」にある移動局ＵＥに対して、「ＵＥ  Ｃａｐａｂｉｌｉｔｙ  Ｅｎｑｕｉｒｙ」を送信する。
【００６６】
ステップＳ１００２において、移動局ＵＥは、無線基地局ｅＮＢ＃１に対して、かかる「ＵＥ  Ｃａｐａｂｉｌｉｔｙ  Ｅｎｑｕｉｒｙ」に応じて、無線基地局ｅＮＢ＃１に対して、上述の「Ｂｅａｒｅｒ  Ｓｈａｒｉｎｇ  Ｃａｐａｂｉｌｉｔｙ」を送信する。
【００６７】
その後、ステップＳ１０１１において、移動局ＵＥが、無線基地局ｅＮＢ＃１に対して、スモールセルであるセル＃２の品質が良くなったことを示す「Ｍｅａｓｕｒｅｍｅｎｔ  ｒｅｐｏｒｔ」を送信する。
【００６８】
ステップＳ１０１２において、無線基地局ｅＮＢ＃１は、かかる「Ｍｅａｓｕｒｅｍｅｎｔ  ｒｅｐｏｒｔ」に応じて、無線基地局ｅＮＢ＃２に対して、「Ｂｅａｒｅｒ  ｓｈａｒｉｎｇ  ｒｅｑｕｅｓｔ」を送信する。
【００６９】
ステップＳ１０１３において、無線基地局ｅＮＢ＃２は、「Ｂｅａｒｅｒ  ｓｈａｒｉｎｇ  ｒｅｑｕｅｓｔ」に応じて、「Ｂｅａｒｅｒ  Ｓｈａｒｉｎｇ」を開始することができると判断した場合に、無線基地局ｅＮＢ＃１に対して、「Ｂｅａｒｅｒ  ｓｈａｒｉｎｇ  ｒｅｑｕｅｓｔ  ＡＣＫ」を送信する。
【００７０】
ステップＳ１０１４において、無線基地局ｅＮＢ＃１は、移動局ＵＥに対して、１つのＥＰＳベアラと無線ベアラ＃１/＃２と無線基地局ｅＮＢ＃１/＃２（又は、セル＃１/＃２）とを関連付けるための情報、すなわち、「Ｂｅａｒｅｒ  ｓｈａｒｉｎｇ」を行うための情報を含む「ＲＲＣ  ｃｏｎｎｅｃｔｉｏｎ  ｒｅｃｏｎｆｉｇｕｒａｔｉｏｎ」を送信する。
【００７１】
ステップＳ１０１５において、移動局ＵＥは、「ＲＲＣ  ｃｏｎｎｅｃｔｉｏｎ  ｒｅｃｏｎｆｉｇｕｒａｔｉｏｎ」に応じて、上述の関連付けを行うと共に、無線基地局ｅＮＢ＃１に対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００７２】
無線基地局ｅＮＢ＃１は、ステップＳ１０１６において、無線基地局ｅＮＢ＃２に対して、「Ｂｅａｒｅｒ  ｓｈａｒｉｎｇ  ｃｏｍｐｌｅｔｅ」を送信すると共に、ステップＳ１０１７において、無線基地局ｅＮＢ＃２への移動局ＵＥ宛てのデータ（Ｕ-ｐｌａｎｅデータ）の転送を開始する。
【００７３】
この結果、ステップＳ１０１８において、移動局ＵＥと無線基地局ｅＮＢ＃２との間で、Ｕ-ｐｌａｎｅの経路が疎通することになる、すなわち、「Ｂｅａｒｅｒ  Ｓｈａｒｉｎｇ」が開始されることになる。
【００７４】
なお、「Ｂｅａｒｅｒ  Ｓｈａｒｉｎｇ」が開始された場合であっても、Ｃ-ｐｌａｎｅの経路は、移動局ＵＥと無線基地局ｅＮＢ＃１との間のままである。
【００７５】
以上に述べた本実施形態の特徴は、以下のように表現されていてもよい。
【００７６】
本実施形態の第１の特徴は、移動局ＵＥであって、無線基地局ｅＮＢ＃１に対して、複数の無線基地局ｅＮＢ＃１/＃２配下のセル＃１/＃２を介して「Ｉｎｔｅｒ-ｓｉｔｅ  ＣＡ（キャリアアグリゲーション）」を行うことができるか否かについて示す「Ｂｅａｒｅｒ  Ｓｈａｒｉｎｇ  Ｃａｐａｂｉｌｉｔｙ（能力情報）」を送信するように構成されている送信部１３を具備することを要旨とする。
【００７７】
かかる構成によれば、移動局ＵＥが、「Ｂｅａｒｅｒ  Ｓｈａｒｉｎｇ  Ｃａｐａｂｉｌｉｔｙ」によって、無線基地局ｅＮＢ＃１に対して、「Ｉｎｔｅｒ-ｓｉｔｅ  ＣＡ」を行うことができるか否かについて、すなわち、「Ｂｅａｒｅｒ  Ｓｈａｒｉｎｇ」機能を具備するか否かについて通知することができるため、無線基地局ｅＮＢ＃１は、「Ｂｅａｒｅｒ  Ｓｈａｒｉｎｇ」機能を具備する移動局ＵＥに対してのみ「Ｉｎｔｅｒ-ｓｉｔｅ  ＣＡ」を行うように指示することができる。
【００７８】
本実施形態の第１の特徴において、送信部１３は、「Ｂｅａｒｅｒ  Ｓｈａｒｉｎｇ  Ｃａｐａｂｉｌｉｔｙ」として、「Ｉｎｔｅｒ-ｓｉｔｅ  ＣＡ」を行うことができる無線基地局ｅＮＢの数を通知するように構成されていてもよい。
【００７９】
かかる構成によれば、無線基地局ｅＮＢ＃１は、移動局ＵＥに対して、適切な数の無線基地局ｅＮＢ配下のセルを介した「Ｉｎｔｅｒ-ｓｉｔｅ  ＣＡ」を行うように指示することができる。
【００８０】
本実施形態の第１の特徴において、送信部１３は、「Ｂｅａｒｅｒ  Ｓｈａｒｉｎｇ  Ｃａｐａｂｉｌｉｔｙ」について、上りリンク及び下りリンクのそれぞれで通知するように構成されていてもよい。
【００８１】
本実施形態の第１の特徴において、送信部１３は、「Ｂｅａｒｅｒ  Ｓｈａｒｉｎｇ  Ｃａｐａｂｉｌｉｔｙ」について、移動局ＵＥが対応している周波数毎に通知するように構成されていてもよい。
【００８２】
本実施形態の第１の特徴において、送信部１３は、「Ｂｅａｒｅｒ  Ｓｈａｒｉｎｇ  Ｃａｐａｂｉｌｉｔｙ」について、移動局ＵＥが対応している「ＣＡ  ｂａｎｄ  ｃｏｍｂｉｎａｔｉｏｎ（キャリアコンビネーション）」毎に通知するように構成されていてもよい。
【００８３】
本実施形態の第１の特徴において、送信部１３は、「Ｂｅａｒｅｒ  Ｓｈａｒｉｎｇ  Ｃａｐａｂｉｌｉｔｙ」について、移動局ＵＥのＲＦ（無線機能部）毎に通知するように構成されていてもよい。
【００８４】
本実施形態の第１の特徴において、送信部１３は、「Ｂｅａｒｅｒ  Ｓｈａｒｉｎｇ  Ｃａｐａｂｉｌｉｔｙ」について、移動局ＵＥが通信する無線基地局ｅＮＢの種別毎に通知するように構成されていてもよい。
【００８５】
なお、上述の移動局ＵＥや無線基地局ｅＮＢ＃１/＃２/＃３の動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/＃２/＃３内に設けられていてもよい。また、かかる記憶媒体及びプロセッサは、ディスクリートコンポーネントとして移動局ＵＥや無線基地局ｅＮＢ＃１/＃２/＃３内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８９】
ｅＮＢ＃１、ｅＮＢ＃２、ｅＮＢ＃３…無線基地局
ＵＥ…移動局
１１、２２…受信部
１２、２３…管理部
１３、２１…送信部
２４…制御部
【図１】
2014049956.tif 000003
【図２】
2014049956.tif 000004
【図３】
2014049956.tif 000005
【図４】
2014049956.tif 000006
【図５】
2014049956.tif 000007
【図６】
2014049956.tif 000008